(57)【要約】本発明は電流制限をしながら可動接触子（８）を開放する電流制限形低圧遮断器（１）に関する。開閉軸レバー（１２）と可動接触子（８）または接触子ホルダ（７）との間の力伝達結合要素は、ラッチ装置（１３）として形成され、２つの個別レバー（１４；１５）からなる。両レバーは、ヒンジ（１６）の回りを互いに相対的に揺動可能であり、そのヒンジ（１６）によって互いに連結されている。ヒンジ（１６）は、両レバー（１４；１５）の同心部（１９；２０）に設けられた貫通孔（２１；２２）に通されたヒンジボルト（２３）によって形成されている。両レバーの接触面は噛み合わせ部として役立つ傾斜面（１７；１８）を備えている。両レバー（１４；１５）は、ヒンジ（１６）の範囲のところで、圧縮コイルばね（２４）によって噛み合わせ部に及ぼされる可調整のばね力の作用下におかれている。
2004512647.tif 000002
【特許請求の範囲】
【請求項１】
電流制限をしながら可動接触子を開放する遮断器であって、
可動接触子を投入状態および遮断状態に移行させるための駆動装置と、この駆動装置から可動接触子への力伝達系列内に配置されたラッチ装置とを備え、
このラッチ装置は、可動接触子から発して遮断状態の方向に作用する開放力によって、その開放力が予め定められた限界値を上回ったときに、可動接触子の投入状態から解放可能となり、
ラッチ装置が、駆動装置と可動接触子との間の機械的接続要素として形成され、開放力の方向に対して角度をもって配置された少なくとも２つの協動する動作面とこの動作面に作用する押圧ばねとを持っている遮断器において、
ラッチ装置（１３）は２つの同一形状のレバー（１４；１５）を持ち、これらのレバー（１４；１５）は、レバー（１４，１５）の同心部（１９；２０）における一直線上に並べられた貫通孔（２１；２２）に通されたヒンジボルト（２３）により形成されたヒンジ（１６）によって互いに連結されかつヒンジ（１６）のまわりを互いに相対的に揺動可能であり、
レバー（１４；１５）は、ヒンジ（１６）の範囲内の同心部（１９；２０）における接触面に、噛み合わせ部として働く傾斜面（１７；１８）を持ち、傾斜面（１７；１８）はヒンジボルト（２３）のための貫通孔（２１；２２）のまわりに同心配置され、
レバー（１４；１５）の、ヒンジ（１６）の範囲内の同心部（１９；２０）が、押圧ばね（２４）によって、接触面における傾斜面（１７；１８）にて形成された噛み合わせ部に作用するばね力を与えられ、
レバー（１４；１５）は、ラッチ装置（１３）の休止状態において、開放力に依存した相対的回転モーメントの発生のために伸長姿勢と異なる角度をなし、
レバー（１４；１５）のヒンジ（１６）とは反対側の端部は、可動接触子もしくは駆動装置とのヒンジ結合のための貫通孔（２８；２９）付きの収容部（３０；３１）を備えていることを特徴とする遮断器。
【請求項２】
ヒンジボルト（２３）は、一端に押圧ばねのための支えとしての頭部（２５）を備え、他端にナット（２７）のためのねじ部（２６）を備えていることを特徴とする請求項１記載の遮断器。
【請求項３】
噛み合わせ部として役立ちラッチ装置（１３）の負荷時にレバー（１４；１５）の互いに重なる回動方向へ動かされ急傾斜の側面を持つ傾斜面（１７）はスナップ面として形成されていることを特徴とする請求項１記載の遮断器。
【請求項４】
噛み合わせ部として役立ちラッチ装置（１３）の負荷時にレバー（１４；１５）の互いに離れる回動方向へ動かされ平坦な側面を持つ傾斜面（１８）はすべり面として形成されていることを特徴とする請求項１記載の遮断器。
【請求項５】
押圧ばね（２４）は、ヒンジボルト（２３）を取りまきヒンジボルトの頭部（２５）に支えられている圧縮コイルばねとして形成されていることを特徴とする請求項１記載の遮断器。
【請求項６】
レバー（１４；１５）を連結するヒンジ（１６）の軸線は、可動接触子の揺動軸線に平行に対して配置されていることを特徴とする請求項１又は２記載の遮断器。
【請求項７】
噛み合わせ部として働く傾斜面（１７；１８）を備えたヒンジ（２６）の範囲内の同心部（１９；２０）におけるレバー（１４；１５）の接触面に押圧ばね（２４）から及ぼされる押圧力は、ヒンジボルト（２３）の有効長の変更によって設定可能であることを特徴とする請求項２乃至４の１つに記載の遮断器。
【発明の詳細な説明】
【０００１】
本発明は、ラッチ機構によってラッチ可能な接触子装置を備えた電流制限形低圧遮断器に関し、さらに詳しくは、接触子装置が各相毎に少なくとも可動接触子と固定接触子を持ち、その可動接触子が例えば短絡時の如き大電流発生時に接触力付与ばねの作用に抗する電気力学的な力によって開離され、
可動接触子を投入状態および遮断状態に移行させるための駆動装置と、その駆動装置から可動接触子への力伝達系列内に配置されたラッチ装置とを備え、
このラッチ装置は、可動接触子から発して遮断状態方向に作用する開放力によって、その開放力が予め定められた限界値を上回ったときに、可動接触子の投入状態から解放可能となり、
ラッチ装置は、駆動装置と可動接触子との間の機械的結合要素として形成され、開放力の方向に対し角度をもって配置された少なくとも２つの協動する動作面とこの動作面に作用する押圧ばねとを持っている電流制限形低圧遮断器に関する。
【０００２】
電流制限形低圧遮断器においては、数ミリ秒の非常に短いトリップ時間を得ようと努められる。遮断器における標準のトリップ時間はそれよりも長い。その理由は、動的には固定した、すなわち選択的な段階化可能なトリップで動作をする古典的構成の遮断器においては接触子装置自身が完全に剛体状であるからである。接触子は別の状態に釈放されるまでは閉じられたままである。トリップ磁石が応答しなければならず、そのことが応答に比較的長い時間を取り、これに加えて開閉機構全体が釈放されなければならず、この開閉機構では比較的多数の部材が動かねばならないのである。しかし、遮断器は通電能力に関して高い負担に耐えなければならず、さもなければ過熱によって損傷または破壊されることにもなる。このことは、電気力学的な電流力自身を接触子開放に利用することによって回避することができる。これについて一連の種々の原理がある。
【０００３】
これらの原理の一つは、大きな電流のときには、遮断器駆動装置における通常の機械的ラッチ装置が釈放される前に、接触子に開離力が働くようにすることである。これは、互いに突合せ当接している各接触子が電流間の力によって反発作用を受けるということに基づいており、接触子が外力によって拘束されていなければ接触子は予め定められた電流値で開離される。このとき接触子の開放にともなって開閉機構も遮断状態にひき込まれ、接触子ホルダが開閉機構とともに遮断状態に再びロックされなければならない。その際に、場合によって、多極遮断器の一つの個別極は、他の極がなおも閉じられているのに、これらの力の作用下で開放されるように努められる。というのは、ほかならぬこの一極が大きな電流を流しているからである。この極めて高速の開放が行われると、開閉アークが発生し、その開閉アークのインピーダンスは全体の故障点および遮断器にわたる電流路のインピーダンスに比べて非常に大きいので、その開閉アークのインピーダンスは電流を制限する働きをする。したがって、短絡電流はいっぱいの大きさには到達しない。
【０００４】
既述の経過は別のやり方で実現することができる。少ない要求ではあるが、開閉機構が特別に良好に、とりわけ可動部材が質量を小さく構成されている場合には、その開閉機構を３極に当てはめることで十分である。しかし、既に言及したように、該当電流路の一極遮断を行うことがより優れている。というのはそれによってより高い電流制限率が達成されるからである。
【０００５】
仏国特許第７２１４５１号明細書に記載された直流電圧用の高速度遮断器においては、接触子装置から分離され電流上昇時に応答する電気機械式変換器によって電流力が発生させられる。オーストリア特許第２５０４７９号明細書によって公知の電流制限形遮断器によれば、可動接触子レバーが投入状態においてラッチ装置によって保持されている。このラッチ装置は、電気力学的な力により引き起こされる可動接触子レバーの動きによっても電磁式過電流トリップ装置によっても解放できる。ラッチ状態への過電流トリップ装置のトリップ運動の伝達は多数の中間要素によって行われる。
【０００６】
西独特許第１８０１０７１号明細書においては、接触子開放力を発生するループ形の電流路を備えた低圧遮断器が示され、特に大きい過電流のときに接触子装置に発生する電気力学的な力によって接触子レバーがばね力に抗して動かされる。可動接触子レバーには棒が設けられており、この棒はロック要素にてローラとともに支えられている。他側でばね力に抗して移動可能なこのロック要素とローラとによってラッチレバーが移動されて釈放され、それにより開閉レバーを遮断位置に持ち込むことができる。
【０００７】
電流力に基づいて接触子の高速開放を行う別の可能性が西独特許出願公開第１４６３３１２号明細書に記載されている。これによると、接触子が移動回転軸に支持され、発生した大電流によって動かされた接触子がラッチ機構により開放状態にセットされ、レバー機構を介して正規の力付勢機構のトリップ軸を動かし、それによって遮断器が最終的な遮断位置に持ち込まれる。
【０００８】
西独特許出願公開第１５１３３４１号明細書に記載されたこの種の別の遮断器においては、大きな短絡電流の際に電気力学的な力により２つの接触子部材の間に反発力が発生する。その際に、ロック装置において可動接触子とともに接触子ホルダが揺動すると、接触子ホルダと開閉機構とのロックが解除されて支持レバーが回転する。２重レバーとして動作する２つの別のレバーを介してトリップ軸が回転させられ、このトリップ軸がラッチ機構のラッチ解除を起こさせる。
【０００９】
別の解決法が西独特許出願公開第１４６３３１１号明細書に示されている。これの構成様式によれば、可動接触子片が揺動可能なレバーにヒンジ結合で支承されている。短絡発生時には電気力学的な力による可動接触子片の動きによって接触子片のロックが解除され、その結果、接触子ばねが緩められて可動接触子が遮断状態にセットされる。
【００１０】
西独特許出願公開第２５１１９４８号明細書に記載された遮断器においては、可動接触子片の電気力学的な開放動作によって、接触子開放後直ちにかつ接触ばね力の増加とともに、ラッチ機構の直接解除のためのレバー装置が作動させられる。このために可動接触子片はホルダに回動可能に支持され、投入状態においてはそのホルダに支えられた接触力付与ばねによって固定接触子片に向けて押し付けられている。ホルダは場所固定された回転軸に支持され、投入状態においてはラッチ機構によって固くロックされている。ホルダのロック解除のための可動接触子片の開放動作はレバー装置を介してラッチ機構およびホルダロック部に導かれる。
【００１１】
欧州特許出願公開第０３９８４６１号明細書には可動接触子のための駆動装置およびラッチ装置を備えた遮断器が開示されているが、この遮断器ではその駆動装置に機械的非線形要素が組み込まれている。この非線形要素は、動作様式に関しては、主として入れ子式に相互に滑り合う部材から構成されている。両者はばね付勢された協動する傾斜面を持っている。接続部に作用する力が通常の接触子押圧力を予め定められた大きさだけ上回ると、傾斜面が互いに急に滑り落ちて、電流を制限する開閉アークを発生させるために、付勢されている接触子ホルダが急に遮断状態へ動かされる。
【００１２】
独国特許出願公開第１９７４０４２２号明細書においては、可動接触子レバーホルダと開閉軸との間の接続部として、互いにヒンジ結合された部材からなる屈曲レバー接続部が設けられ、これらの部材は伸長姿勢をとるようにばねによって付勢されている。その場合に可動接触子レバーホルダは、従来普通であるように支持レバーと固定接続されているのではなくて、揺動動作を行えるように特に軸により形成された揺動軸受によって支持レバーと接続されている。可動接触子レバーホルダは、このホルダにヒンジ結合された屈曲レバー接続舌片を収容しそれらを結合ボルトにより可動接触子レバーホルダと接続するのに用いられるポケットと、そのポケットの縁によって形成されていてホルダがそれの揺動動作によってその舌片の一つに作用するためのストッパー面とを持っている。それによってその舌片は伸長姿勢から揺動させられ、まず固定した屈曲レバー接続部が曲げ閉じられる。さらに、可動接触子レバーホルダは、通常の遮断器の場合にそのホルダを貫通する接触子レバー軸の範囲に切欠きを備え、その切欠きはホルダの揺動運動が接触子レバー軸によって邪魔されないように形成されている。
【００１３】
上述の遮断器はすべて共通の欠点を持っている。この欠点は、電流制限を実現するのに多数の可動部材が存在し、一部には電流制限のためにだけ付加的に必要となる構成要素が存在することである。これは、高い機械的および製造技術的費用につながる。
【００１４】
さらに考慮すべきことは、顧客はこの種の型式の遮断器を必要とするばかりか、従来型の、すなわち大電流発生時に予め定められた時間が経過したときだけ選択的に開放する型式の遮断器も必要とするということである。しかしながら、２つの全く異なった型式の遮断器を顧客に提供することは、２つの異なる遮断器構造を備えていなければならないことから非常に高価となる。したがって、２つの型式からその都度半分のロットサイズだけを製造することができる。顧客は最近では設備をしばしば切り替え、このために値段がてごろで万能的に使用可能な遮断器を必要とする。
【００１５】
したがって、古典的な選択的時間依存性段階式遮断器か電流制限形遮断器かの異なる機能を意のままに切り替えて使用できるようにしようとする努力はコスト的にできるだけ好条件で実現されるべきである。
【００１６】
それゆえ、本発明の課題は、構造的かつ製造技術的に大きな費用なしに通常の大量生産される遮断器に導入することができ、この遮断器に主要な変更を加える必要もない電流制限形遮断器を提供することにある。従来の遮断器は、遮断器駆動装置付きの可動接触子を備えた可動開閉極を持ち、かつその中間に開閉軸および接触子ホルダを結合するレバー機構を持っている。したがって、電流による開放力によって接触子ホルダがレバー機構に向けて押されるとき、レバー機構が開閉軸とは無関係に曲げ開いたり又は曲げ閉じたりすることができる場合には、機械的な非線形特性を有する要素をレバー機構の列内に組み込むことが考えられる。
【００１７】
そこから出発して、上述の本発明の課題は、従来レバー機構として実施されていた、遮断器駆動装置から接触子ホルダへの力伝達要素が一種の屈曲要素として構成されているという点で、その力伝達要素を構造的に完全に変更することによって達成される。
【００１８】
可動接触子を有する本発明による電流制限形低圧遮断器は、可動接触子を投入状態および遮断状態に移行させるための駆動装置と、その駆動装置から可動接触子への力伝達系列内に配置されたラッチ装置とを備え、そのラッチ装置は、可動接触子から発して遮断状態の方向に作用する開放力によって、その開放力が予め定められた限界値を上回ったときに、可動接触子の投入状態から解放可能となり、ラッチ装置は、駆動装置と可動接触子との間の機械的接続要素として形成され、開放力の方向に対して角度をもって配置された少なくとも２つの協動する動作面とこの動作面に作用する押圧ばねとを持ち、さらに加えて次の構成を有する。
ラッチ装置は２つの同一形状のレバーを持ち、これらのレバーは、レバーの同心部における一直線上に並べられた貫通孔に通されたヒンジボルトにより形成されたヒンジによって互いに連結されかつヒンジのまわりを互いに相対的に揺動可能であり、
レバーは、ヒンジの範囲内の同心部における接触面に、噛み合わせ部として働く傾斜面を持ち、この傾斜面はヒンジボルトのための貫通孔のまわりに同心配置され、
レバーの、ヒンジの範囲内の同心部が、押圧ばねによって、接触面における傾斜面にて形成された噛み合わせ部に作用するばね力を与えられ、
レバーは、ラッチ装置の休止状態において、開放力に依存した相対的回転モーメントの発生のために伸長姿勢と異なる角度をなし、
レバーのヒンジとは反対側の端部は、可動接触子もしくは駆動装置とのヒンジ結合のための貫通孔付き収容部備えている。
【００１９】
ヒンジボルトは、一端に押圧ばねのための支えとしての頭部を備え、他端にナットのためのねじ部を備えていることが好ましい。噛み合わせ部として役立ちラッチ装置の負荷時にレバーの互いに重なる回動方向へ動かされ急傾斜の側面を持つ傾斜面はスナップ面として形成され、ラッチ装置の負荷時にレバーの互いに離れる回動方向に動かされる傾斜面はすべり面として平坦な側面を持つ。
【００２０】
押圧ばねは、ヒンジボルトを取りまきヒンジボルト頭部に支えられている圧縮コイルばねとして形成されていることが好ましい。
【００２１】
レバーを連結するヒンジの軸線は、可動接触子の揺動軸線に対して平行に配置されていることが望ましい。
【００２２】
噛み合わせ部として働く傾斜面を備えたヒンジの範囲内の同心部におけるレバーの接触面に押圧ばねから及ぼされる押圧力は、ヒンジボルトの有効長の変更によって設定可能である。
【００２３】
ヒンジボルトの有効長のこの変更はナットのねじ込みの増減によって簡単に行われる。本発明によるラッチ装置によって、開閉軸レバーと可動接触子もしくは接触子ホルダとの力伝達接続のための新しいアセンブリが作られる。このアセンブリは、短絡電流の発生時に各開閉ユニットを相互に関係なくかつ開閉軸の投入位置に関係なく開放することを可能にする“力に依存して曲げ開かれる要素”として構成されている。ラッチ装置の両レバーは同一に形成されている。したがって製造上は片方だけを作ればよい。レバーの同心部の噛み合わせ部として形成された傾斜面は押圧ばねのばね圧の下におかれ、そのばね圧は投入のためと曲げ開きを行わない接触力の準備のために規定の力を伝達することができるように定められている。その場合に押圧ばねのばね圧は無段階に設定できるので、ラッチ装置の所望の曲げ開き力を同様に無段階で設定することができる。本発明によるラッチ装置は公知の実施形態におけるように望遠鏡式に滑り合うのではなくて、回転力による屈曲運動が行われる。電磁式高速トリップ装置の遮断過程の更なる経過において遮断器を最終的に遮断する場合には、回転する開閉軸とそれの開閉軸レバーとによってラッチ装置が休止姿勢に持ち込まれる。それによって遮断器は再び投入待機状態となる。
【００２４】
以下、よりよい理解のために、優れた実施例に基づいて本発明を更に詳しく説明する。もちろん、本発明の保護範囲はこの実施例に限定されない。
図１は、本発明によるラッチ装置を備えた低圧遮断器を遮断状態における断面図で概略的に示す。
図２は、本発明によるラッチ装置を備えた低圧遮断器を投入状態における断面図で概略的に示す。
図３は、本発明によるラッチ装置を備えた低圧遮断器をトリップ状態における断面図で概略的に示す。
図４は、本発明によるラッチ装置の優れた実施例を側面図で示す。
図５は、図４の本発明によるラッチ装置の個別レバーを平面図で示す。
図６は、図１の本発明によるラッチ装置を部分的に組立図で示す。
【００２５】
図１ないし図３には、本発明によるラッチ装置１３の組み込み場所を明らかにするために、低圧遮断器１が断面図で概略的に示されている。低圧遮断器１の背面壁２には上部導体レール３および下部導体レール４が貫通している。上部導体レール３には固定接触子５があり、下部導体レール４には接触子ホルダ７に取り付けられた可動接触子８がフレキシブ接続導体６を介して接続されている。固定接触子５および可動接触子８の上側に消弧室９が配置されている。遮断器駆動装置１０には開閉軸レバー１２を備えた開閉軸１１があり、開閉軸レバー１２には、接触子ホルダ７への接続要素として本発明によるラッチ装置１３が連結されている。
【００２６】
図１において、低圧遮断器１が遮断状態にあり、ラッチ装置１３の休止状態にあるレバー１４；１５は、開放力に依存する相対的な回転モーメントを発生させるために、相互に伸長姿勢とは異なる角度をとっており、レバー１４；１５を連結するヒンジ１６の軸線は可動接触子８の図示されていない揺動軸線に対して平行に配置されている。図２は、低圧遮断器１を投入状態で示しているが、このことだけを除けば図１と同じ配置関係を示している。これに対して、図３にはトリップ状態にあるラッチ装置１３を備えた低圧遮断器１が示され、このトリップ状態ではラッチ装置１３は曲げ閉じられて、可動接触子８の開放が行われている。
【００２７】
図４は本発明によるラッチ装置１３の優れた実施例を側面図で示す。このラッチ装置１３は２つの同一に形成されたレバー１４；１５を持ち、これらのレバーはヒンジ１６によって相互に連結され、このヒンジ１６を中心に相対的に互いに揺動可能である。レバー１４；１５の接触面は傾斜面１７；１８として形成された動作面を持ち、これらの動作面は同心部１９；２０が噛み合わせられる形になっており、傾斜面１７はスナップ面として急勾配に形成され、傾斜面１８はすべり面として平坦に形成されている。
【００２８】
レバー１４；１５を連結するヒンジ１６はレバー１４；１５の一直線上に並べられた貫通孔２１；２２に通されたヒンジボルト２３によって形成され、このボルトは同時に、圧縮コイルばねとして形成された押圧ばね２４のための案内および保持部をなしている。押圧ばね２４はヒンジボルト２３を取り囲み、ヒンジボルト２３の端部でそのボルトの円盤状頭部２５によって支えられている。ヒンジボルト２３の頭部２５と反対側にはナット２７を受け入れるためのねじ部２６が備えられている。このナット２７によりヒンジボルト２３に座す押圧ばね２４の圧力を変化させることができ、したがって両レバー１４；１５は押圧ばね２４の可変ばね圧のもとにある。レバー１４；１５は、ヒンジ１６とは反対側の端部に、それぞれ１つの貫通孔２８；２９を備えた収容部３０；３１を持っている。これらの収容部は開閉軸レバー１２もしくは接触子ホルダ７との接続に用いられる。
【００２９】
図５は図４の本発明によるラッチ装置１３の個別レバーを平面図で示す。両レバー１４；１５は同一に形成されているので、レバー１５のみを示す。レバー１５の傾斜面１７，１８として形成された動作面はヒンジボルト２３のための貫通孔２２を同心にして同心部２０に配置されている。レバー１５の反対側端部には貫通孔２９を備えた収容部３１が配置されており、この収容部は開閉軸レバー１２もしくは接触子ホルダ７と接続するために用いられる。
【００３０】
図６は図１の本発明によるラッチ装置１３を部分的な組立図で示しており、ここではナット２７が省略されている。この図では、図１に対応する同じ部分には同じ参照番号を付しているが、傾斜面１７；１８は同心部１９；２０の噛み合わせ部として形成され、これらの同心部は組立状態でヒンジボルト２３に座す押圧ばね２４のばね圧のもとにおかれることを明確に認識できる。
【００３１】
本発明によるラッチ装置１３は次のとおり動作する。
例えば短絡時に、電気力学的な電流力によって接触子系に及ぼされる開放力が予め定められた値（この値はスナップ面として形成された相続く傾斜面１７に発生する持上げ力が押圧ばね２４の設定されたばね力を上回るほど屈曲力を大きくさせる）を上回ると、傾斜面同士は互いに滑り落ちて噛み合いが外れる動作をする。それによってラッチ装置１３が曲げ閉じられた状態となり、可動接触子８を釈放する。スナップ面としての傾斜面１７は互いに滑り落ち、移動方向に下っているすべり面としての傾斜面１８はラッチ装置１３の曲げ閉じ動作に全く抵抗しない。
【００３２】
可動接触子８の開放時における遮断過程の安定化していない段階で可動接触子８と固定接触子５との間に生じる遮断アークは、当該遮断過程におけるその後の経過において電磁式高速トリップ装置が応答して遮断器を最終的に遮断する前に、アーク自身のインピーダンスによって、流れている短絡電流を制限する。
【００３３】
遮断過程のその後の経過において電磁式高速トリップ装置が遮断器を最終的に遮断するとき、回転する開閉軸１１とその開閉軸レバー１２とによってラッチ装置１３が再び休止姿勢に持ち込まれる。それにより遮断器は再び投入待機状態となる。
【００３４】
押圧ばね２４のばね力は、ナット２７のねじ込み長さの増減にてヒンジボルト２３の有効長を変更することによって容易に設定することができ、それによりラッチ装置１３の作用力を設定することができる。
【００３５】
本発明による装置は、機械的に非常に簡単に構成されており、それにもかかわらず機能力を容易に設定できるという利点を持っている。両レバー１４；１５は同一に形成されているので、製造技術上１つだけの部材を作ればよい。
【図面の簡単な説明】
【図１】
本発明によるラッチ装置を備えた低圧遮断器の遮断状態を示す概略断面図
【図２】
本発明によるラッチ装置を備えた低圧遮断器の投入状態を示す概略断面図
【図３】
本発明によるラッチ装置を備えた低圧遮断器のトリップ状態を示す概略断面図
【図４】
本発明によるラッチ装置の優れた実施例の側面図
【図５】
図４の本発明によるラッチ装置の個別レバーの平面図
【図６】
図１の本発明によるラッチ装置の部分的組立図
【符号の説明】
１　　低圧遮断器
２　　背面壁
３　　上部導体レール
４　　下部導体レール
５　　固定接触子
６　　フレキシブル接続導体
７　　接触子ホルダ
８　　可動接触子
９　　消弧室
１０　遮断器駆動装置
１１　開閉軸
１２　開閉軸レバー
１３　ラッチ装置
１４　レバー
１５　レバー
１６　ヒンジ
１７　傾斜面
１８　傾斜面
１９　同心部
２０　同心部
２１　貫通孔
２２　貫通孔
２３　ヒンジボルト
２４　押圧ばね
２５　頭部
２６　ねじ部
２７　ナット
２８　貫通孔
２９　貫通孔
３０　収容部
３１　収容部
【国際公開パンフレット】
2004512647.tif 000003
2004512647.tif 000004
2004512647.tif 000005
2004512647.tif 000006
2004512647.tif 000007
2004512647.tif 000008
2004512647.tif 000009
2004512647.tif 000010
2004512647.tif 000011
2004512647.tif 000012
2004512647.tif 000013
2004512647.tif 000014
2004512647.tif 000015
2004512647.tif 000016
2004512647.tif 000017
2004512647.tif 000018
2004512647.tif 000019
2004512647.tif 000020
2004512647.tif 000021
2004512647.tif 000022
2004512647.tif 000023
2004512647.tif 000024
2004512647.tif 000025
【国際調査報告】
2004512647.tif 000026
2004512647.tif 000027
2004512647.tif 000028
2004512647.tif 000029
2004512647.tif 000030
2004512647.tif 000031